(57)【要約】【課題】経年劣化により、多くの既設水路の蓋かかり面が荒れ、すべての蓋かかり面が一定の高さではなくなっていたときにおいても、手間と時間がかからず、設置がスムーズに出来、また新たな型枠を設置してコンクリートを打設したり、その後のコンクリートの養生を必要としないスリット蓋の設置高さ調整装置を提供することを目的とする。【解決手段】本発明はＵ字溝の上部開口に敷設される蓋の設置高さが調整できる蓋の高さ調整装置であり、蓋と前記Ｕ字溝の載置面との間に設けられて少なくとも蓋の四隅部に設置され、蓋の側面に設けられた空間部に取り付けられるプレートと、プレートに設けられたねじ穴と、ねじ穴に螺挿する高さ調整具とを備え、高さ調整具の先端部と該先端部が当接する蓋の載置面との間隔を各々調整自在として前記蓋の設置高さ調整が行えることを特徴とする。【選択図】    図１
2018076672.tif 000002
【特許請求の範囲】
【請求項１】
Ｕ字溝の上部開口に敷設される蓋の設置高さが調整できる蓋の高さ調整装置であり、
前記蓋の高さ調整装置は、蓋と蓋が載置される前記Ｕ字溝の載置面との間に設けられて少なくとも蓋の四隅部に設置され、
蓋の側面に設けられた空間部に取り付けられるプレートと、該プレートに設けられたねじ穴と、ねじ穴に螺挿する高さ調整部材と、を備え、
前記高さ調整部材の先端部と該先端部が当接する蓋の載置面との間隔を各々調整自在として前記蓋の設置高さ調整が行える、
ことを特徴とするスリット蓋の設置高さ調整装置。
【請求項２】
前記プレートはあらかじめ蓋の側面に設けられた空間部に取り付けられてある、
ことを特徴とする請求項１記載のスリット蓋の設置高さ調整装置。
【請求項３】
前記プレートは、あらかじめ蓋側面の前記空間部に設けられた切り溝にスライドさせて蓋に取り付け可能とされた、
ことを特徴とする請求項１記載のスリット蓋の設置高さ調整装置。
【発明の詳細な説明】
【技術分野】
【０００１】
本発明はスリット側溝などいわゆるＵ字溝の上部開口に敷設されるスリット蓋の設置高さ調整装置に関するものである。
【背景技術】
【０００２】
本件出願人は、すでに既設水路へスリット蓋をモルタルで固定する工法を提案し、特許を取得して実用化している（特許第３９４３１１４号）。
【０００３】
しかしながら実際の施工に際しては、既設水路へスリット蓋をモルタルで固定する施工につき、いくつかの課題が発生した。
【０００４】
たとえば、既設水路の「蓋かかり面」が、新設側溝の場合と同様に、平滑できれいな面であれば問題ないが、経年劣化により、多くの既設水路の蓋かかり面は荒れており、すべての蓋かかり面は一定の高さではなくなって、ある面では極端に低くなっていたり、ある面では通常の高さであったりしていた。
【０００５】
この場合の施工方法として、二つの方法が考えられる。一つ目は、一般的な調整プレート（四角い薄い鉄板）を蓋かかり面の上に設置し、スリット蓋を載せる。それでも正しい高さにならない場合は、スリット蓋を持ち上げ、追加の調整プレートを介在させ、ふたたび蓋を載せる。
【０００６】
しかし、前述の様な方法であると、正しい高さとなるまで、これらを繰り返すため、手間と時間がかかってしまい、設置がスムーズに出来ない課題があった。
【０００７】
二つ目の方法は、低くなってしまった蓋かかり面をモルタルで補修する方法である。まず、側溝の内側に型枠を設置し、蓋かかり面にモルタルを所定の高さまで塗る。その後、モルタルが硬化した後にスリット蓋を設置する。しかしながら、この工法では型枠設置や養生に時間がかかり、スリット蓋設置工事がスムーズに出来ないとの課題がある。
【先行技術文献】
【特許文献】
【０００８】
【特許文献１】特許第３９４３１１４号公報
【発明の概要】
【発明が解決しようとする課題】
【０００９】
かくして、本発明は前記従来の課題に対処すべく創案されたものであって、経年劣化により、多くの既設水路の蓋かかり面が荒れ、すべての蓋かかり面が一定の高さではなくなって、ある面では極端に低くなっていたり、ある面では通常の高さであったりしたときにおいても、手間と時間がかからず、設置がスムーズに出来、また新たな型枠を設置してコンクリートを打設したり、その後のコンクリートの養生を必要としないスリット蓋の設置高さ調整装置を提供することを目的とするものである。
【課題を解決するための手段】
【００１０】
本発明は、
Ｕ字溝の上部開口に敷設される蓋の設置高さが調整できる蓋の高さ調整装置であり、
前記蓋の高さ調整装置は、蓋と蓋が載置される前記Ｕ字溝の載置面との間に設けられて少なくとも蓋の四隅部に設置され、
蓋の側面に設けられた空間部に取り付けられるプレートと、該プレートに設けられたねじ穴と、ねじ穴に螺挿する高さ調整部材と、を備え、
前記高さ調整部材の先端部と該先端部が当接する蓋の載置面との間隔を各々調整自在として前記蓋の設置高さ調整が行える、
ことを特徴とし、
または、
前記プレートはあらかじめ蓋の側面に設けられた空間部に取り付けられてある、
ことを特徴とし、
または、
前記プレートは、あらかじめ蓋側面の前記空間部に設けられた切り溝にスライドさせて蓋に取り付け可能とされた、
ことを特徴とするものである。
【発明の効果】
【００１１】
本発明によるスリット蓋の設置高さ調整装置であれば、
経年劣化により、多くの既設水路の蓋かかり面が荒れ、すべての蓋かかり面が一定の高さではなくなって、ある面では極端に低くなっていたり、ある面では通常の高さであったりしたときにおいても、手間と時間がかからず、設置がスムーズに出来、また新たな型枠を設置してコンクリートを打設したり、その後のコンクリートの養生を必要としないとの優れた効果を奏する。
【００１２】
すなわち、全高さ調整のアジャスターを組み込んで、正しい高さとなるように、簡単にレベル施工ができる固定型スリット蓋を提供できるとの優れた効果を奏する。
【図面の簡単な説明】
【００１３】
【図１】本発明の構成説明図（１）である。
【図２】本発明の構成説明図（２）である。
【図３】実施例１の構成説明図である。
【図４】実施例２の構成説明図（１）である。
【図５】実施例２の構成説明図（２）である。
【発明を実施するための最良の形態】
【００１４】
以下、本発明を図に基づいて説明する。
【００１５】
図において、符号１は、スリット型側溝を示す。該スリット型側溝１は、上部に開口を有するＵ字溝２と、このＵ字溝２の上部開口に敷設されるスリット３が設けられた蓋４を有して構成されている。
【００１６】
ところで、長期にわたる使用によって既設側溝に経年劣化が生じ、多くの既設水路の蓋かかり面５が荒れてしまっている。
すなわち、蓋かかり面５が一定の高さではなくなってしまっており、図１に示すように、ある面では極端に低くなっていたり、ある面では通常の高さであったりしている。
【００１７】
次に、符号６は設置高さ調整装置示す。該設置高さ調整装置６は、略平板方形状をなす金属製のプレート７を有している。そして、図３に示すように、該プレート７は、該プレート７の表裏面に貫通して設けられたねじ穴８を有している。  
符号９は、前記ねじ穴８に螺挿する高さ調整部材を示す。この高さ調整部材９は、雄ねじ状の基部１０とナット頭状の頭部１１とを有している。
【００１８】
図から理解されるように、スリット蓋４の幅方向両端にはその長手方向端部側近傍位置に各々上下方向に向かう凹溝状切り欠き１２が設けられており、この凹溝状切り欠き１２内において前記プレート７は水平に取り付けられる。
【００１９】
この取付については、何ら限定されないが、あらかじめ型枠内にプレート７をセットしておき、その状態からコンクリートを型枠内に打設し、次いで脱型したとき、前記プレート７の端部は前記凹溝状切り欠き１２内でコンクリートに埋設された状態で固定されるものとなる。この固定されたプレート７のねじ穴８に高さ調整部材９を螺挿させて高さ調整することになる。
【００２０】
尚、図３、図５に示すように、プレート７または設置高さ調整装置６をあらかじめスリット蓋４の幅方向両側に取り付けておかなくともよい。
【００２１】
即ち、図４のように、あらかじめスリット蓋４につき、その幅方向両側に形成した凹溝状切り欠き１２に、該凹溝状切り欠き１２と略直交するように切り溝１３を設けておくだけでよい。
そして、スリット蓋４の設置高さを調整する際に、前記切り溝１３内に高さ調整部材９を螺挿したプレート７を差し込むだけでよいのである。
【００２２】
以上において、本発明の使用状態につき説明する。
【００２３】
まず、高さ調整用のボルト、すなわち高さ調整部材９を螺挿するねじ穴８を設けたプレート７を用意する。
そして、実施例１では、図３に示すように、スリット蓋４を製造する時に、該プレート７を埋め込んで製造するものとする。
型枠の脱型後には、スリット蓋４に埋め込んだ前記プレート７に高さ調整部材９をねじ込んで取り付けておく。
こうして、形成した設置高さ調整装置６付きのスリット側溝１を、既設の側溝に設置する。
【００２４】
このときあらかじめ、既設水路であるスリット側溝１の蓋かかり面５に、厚みのある大きめの伸縮性スポンジなどの緩衝材１４を接着剤で張り付けておくものとする。
【００２５】
そして、この上に設置高さ調整装置６付きのスリット蓋４を設置し、ラチェットレンチやインパクトレンチ等で高さ調整部材９を回転させ、スリット蓋４の上面の高さを正しい高さに調整する。
【００２６】
調整した後は、図２に示すように、隙間１５より無収縮モルタルなどの充填材１６を注入する。この時、緩衝材１４が、型枠の役目をはたし、充填材１６が流れ出るのを防ぐことができる。
【００２７】
尚、図４及び図５は実施例２の構成説明図であり、実施例２では、スリット蓋４を製造するときに、前記プレート７が差し込める切り溝１３が設けられるように型枠を配置し製造する。型枠脱型後、例えばあらかじめ高さ調整部材９をねじ込んであるプレート７を前記切り溝１３に差し込めば高さ調整が出来るものとなる。
【００２８】
ここで、実施例２のタイプのスリット蓋４については、例えば高さ調整を必要としない場合に、設置高さ調整装置６の付いていない図４に示すスリット蓋４を用意すればよく、その場合にコストが高くなる設置高さ調整装置つきスリット蓋４に比較して安価なスリット蓋４を提供できるものとなる。
【符号の説明】
【００２９】
１    スリット側溝
２    Ｕ字溝
３    スリット
４    スリット蓋
５    蓋かかり面
６    設置高さ調整装置
７    プレート
８    ねじ穴
９    高さ調整部材
１０  基部
１１  頭部
１２  凹溝状切り欠き
１３  切り溝
１４  緩衝材
１５  隙間
１６  充填材
【図１】
2018076672.tif 000003
【図２】
2018076672.tif 000004
【図３】
2018076672.tif 000005
【図４】
2018076672.tif 000006
【図５】
2018076672.tif 000007